(57)【要約】  【課題】  冷蔵室用と冷凍室用の冷却器と送風機を設け、野菜室内の野菜の乾燥を防ぐために野菜室へはこれら冷却器の冷気が流れないが、冷蔵室と野菜室を仕切る冷却板を冷蔵室へ流入する前の冷却器で冷却して野菜室を冷却するものがあるが、冷却器と送風機が多く、また野菜室の温度を十分に低い温度に維持する場合には冷蔵室用冷却器を大きくする等の問題がある。本発明は、野菜室は冷凍室の戻り冷気によって野菜室用冷却器を冷却して野菜室をより低温に冷却することができるものとし、冷蔵室の戻り冷気による冷却器の霜着きをできるだけ均一化できるものとする。  【解決手段】  主冷却器で冷却した冷気は野菜室へ流入しない経路でもって送風機によって冷蔵室と冷凍室へ循環し、野菜室は冷凍室の戻り冷気によって冷却される野菜室用冷却器にて冷却し、冷蔵室の戻り冷気は主冷却器の上流で冷凍室の戻り冷気に合流させる。【選択図】  図１
2006017372.tif 000002
【特許請求の範囲】
【請求項１】
冷蔵室、冷凍室、野菜室を形成して前記冷凍室の下側に前記野菜室が隣接配置され、前
記冷凍室の背面部に主冷却器が配置され、前記主冷却器で冷却された冷気は前記野菜室へ
流入しない経路でもって送風機によって前記冷蔵室と冷凍室へそれぞれ循環され、前記野
菜室は前記主冷却器への前記冷凍室の戻り冷気によって冷却される野菜室用冷却器にて冷
却され、前記冷蔵室の戻り冷気が前記冷凍室の戻り冷気に合流する冷気ダクト構成とした
ことを特徴とする冷蔵庫。
【請求項２】
冷蔵室、冷凍室、野菜室を形成して前記冷凍室の下側に前記野菜室が隣接配置され、前
記冷凍室の背面部に主冷却器が配置され、前記主冷却器で冷却された冷気は前記野菜室へ
流入しない経路でもって送風機によって前記冷蔵室と冷凍室へそれぞれ循環され、前記冷
凍室から前記主冷却器へ帰還する冷気帰還通路が前記冷凍室と前記野菜室との間の断熱仕
切り壁中に形成され、一方側が前記冷気帰還通路中の冷気と熱交換関係に配置され他方側
が前記野菜室に露出した野菜室用冷却器を設け、前記冷蔵室から前記冷却器へ帰還する戻
り冷気が前記冷気帰還通路中の冷気に合流する冷気ダクト構成としたことを特徴とする。
【請求項３】
上から冷蔵室、冷凍室、野菜室が形成され、前記冷凍室の背面部に主冷却器が配置され
、前記主冷却器で冷却された冷気は前記野菜室へ流入しない経路でもって送風機によって
前記冷蔵室と冷凍室へそれぞれ循環され、前記冷凍室から前記主冷却器へ帰還する冷気帰
還通路が前記冷凍室と前記野菜室との間の断熱仕切り壁中に形成され、一方側が前記冷気
帰還通路中の冷気と熱交換関係に配置され他方側が前記野菜室に露出した野菜室用冷却器
を設け、前記冷蔵室から前記主冷却器へ帰還する戻り冷気が前記野菜室用冷却器の下流側
で前記冷気帰還通路の両側から前記冷気帰還通路中の冷気に合流する冷気ダクト構成とし
たことを特徴とする冷蔵庫。
【請求項４】
上から冷蔵室、冷凍室、野菜室が形成され、前記冷凍室の背面部に主冷却器が配置され
、前記主冷却器で冷却された冷気は前記野菜室へ流入しない経路でもって送風機によって
前記冷蔵室と冷凍室へそれぞれ循環され、前記冷凍室から前記主冷却器へ帰還する冷気帰
還通路が前記冷凍室と前記野菜室との間の断熱仕切り壁中に形成され、一方側が前記冷気
帰還通路中の冷気と熱交換関係に配置され他方側が前記野菜室に露出した野菜室用冷却器
を設け、前記冷蔵室から前記主冷却器へ帰還する戻り冷気が前記野菜室用冷却器の上流側
から前記冷気帰還通路の冷気に合流する冷気ダクト構成としたことを特徴とする冷蔵庫。
【発明の詳細な説明】
【技術分野】
【０００１】
本発明は、冷蔵室、冷凍室、野菜室が形成された冷蔵庫に関し、特に、冷蔵室と冷凍室
へは冷却器で冷却された冷気を送風機によって循環し、野菜室へこの冷気循環を行わない
冷却方式の冷蔵庫に関する。
【背景技術】
【０００２】
冷蔵室、冷凍室、野菜室を形成し、前記冷凍室の背面部に冷却器が配置され、この冷却
器で冷却された冷気を送風機によって前記冷蔵室と冷凍室へそれぞれ循環する冷蔵庫があ
る。この冷蔵庫は、上から冷蔵室、冷凍室、野菜室を配置し、冷却器で冷却された冷気は
、送風機によって前記冷蔵室と冷凍室へ流入し、冷凍室の冷気はそのまま冷却器へ帰還し
、冷蔵室の冷気は冷凍室の背面側のダクトを通って野菜室へ流入した後、冷却器へ帰還す
る循環をする構成である。（例えば、特許文献１参照）。
【０００３】
また、もう一つのタイプの冷蔵庫として、上から冷蔵室、野菜室、冷凍室を配置し、前
記冷蔵室と冷凍室の背面部にそれぞれ冷却器と送風機が配置され、各冷却器で冷却された
冷気はそれぞれの送風機によって前記冷蔵室と冷凍室へそれぞれ循環するが、野菜室へは
これらの冷気が流れない構成である。そして、冷蔵室と野菜室が冷却板で仕切られており
、冷蔵室へ流入する前の冷却器で冷却された冷気によって、この冷却板を冷却して野菜室
をこの冷却板によって冷却する方式のものである。（例えば、特許文献２参照）。
【特許文献１】特開平０８−１７８５０９号公報
【特許文献２】特開２００２−１４７９１５号公報
【発明の開示】
【発明が解決しようとする課題】
【０００４】
特許文献１の方式は、野菜室へは冷蔵室の戻り冷気が流入する方式であるため、野菜室
内の野菜容器が上面開口の形態であれば、その容器内の野菜の乾燥は免れない。また、特
許文献２の方式では、野菜室へは冷却器で冷却した冷気が流入しない方式であるため、野
菜室内の野菜容器が上面開口の形態であっても、特許文献１のようなその容器内の野菜の
乾燥は生じないが、冷蔵室用冷却器と送風機と、冷凍室用冷却器と送風機が必要であり、
冷却器と送風機が増える問題がある。
【０００５】
また、特許文献２の方式では、野菜室の温度を十分に低い温度に維持する昨今において
は、冷蔵室用冷却器で冷却される冷気温度をより低くする必要があり、そのために冷蔵室
用冷却器を大きくするなど新たな設計とテストが必要となる。
【０００６】
本発明は、冷蔵室、冷凍室、野菜室が形成された冷蔵庫において、冷却器で冷却された
冷気は、野菜室へ流入しない経路でもって送風機によって冷蔵室と冷凍室へそれぞれ循環
するが、野菜室は冷凍室の戻り冷気によって冷却される野菜室用冷却器でもって冷却する
ことにより、野菜室に収納した上面に開口した野菜容器内の野菜をより低温に冷却するこ
とができると共にその野菜の乾燥を抑制できる冷蔵庫を提供する。
【０００７】
また、本発明は、このような方式の冷蔵庫において、湿気を多く含んだ冷蔵室の戻り冷
気が冷却器へ帰還することにより冷却器には霜着きが生じるが、冷却器へのこの霜着きが
なるだけ均一化できるような冷気帰還ダクト構成を提供するものである。
【課題を解決するための手段】
【０００８】
第１の発明は、冷蔵室、冷凍室、野菜室を形成して前記冷凍室の下側に前記野菜室が隣
接配置され、前記冷凍室の背面部に主冷却器が配置され、前記主冷却器で冷却された冷気
は前記野菜室へ流入しない経路でもって送風機によって前記冷蔵室と冷凍室へそれぞれ循
環され、前記野菜室は前記主冷却器への前記冷凍室の戻り冷気によって冷却される野菜室
用冷却器にて冷却され、前記冷蔵室の戻り冷気が前記冷凍室の戻り冷気に合流する冷気ダ
クト構成としたことを特徴とする。
【０００９】
第２の発明は、冷蔵室、冷凍室、野菜室を形成して前記冷凍室の下側に前記野菜室が隣
接配置され、前記冷凍室の背面部に主冷却器が配置され、前記主冷却器で冷却された冷気
は前記野菜室へ流入しない経路でもって送風機によって前記冷蔵室と冷凍室へそれぞれ循
環され、前記冷凍室から前記主冷却器へ帰還する冷気帰還通路が前記冷凍室と前記野菜室
との間の断熱仕切り壁中に形成され、一方側が前記冷気帰還通路中の冷気と熱交換関係に
配置され他方側が前記野菜室に露出した野菜室用冷却器を設け、前記冷蔵室から前記冷却
器へ帰還する戻り冷気が前記冷気帰還通路中の冷気に合流する冷気ダクト構成としたこと
を特徴とする。
【００１０】
第３の発明は、上から冷蔵室、冷凍室、野菜室が形成され、前記冷凍室の背面部に主冷
却器が配置され、前記主冷却器で冷却された冷気は前記野菜室へ流入しない経路でもって
送風機によって前記冷蔵室と冷凍室へそれぞれ循環され、前記冷凍室から前記主冷却器へ
帰還する冷気帰還通路が前記冷凍室と前記野菜室との間の断熱仕切り壁中に形成され、一
方側が前記冷気帰還通路中の冷気と熱交換関係に配置され他方側が前記野菜室に露出した
野菜室用冷却器を設け、前記冷蔵室から前記主冷却器へ帰還する戻り冷気が前記野菜室用
冷却器の下流側で前記冷気帰還通路の両側から前記冷気帰還通路中の冷気に合流する冷気
ダクト構成としたことを特徴とする。
【００１１】
第４の発明は、上から冷蔵室、冷凍室、野菜室が形成され、前記冷凍室の背面部に主冷
却器が配置され、前記主冷却器で冷却された冷気は前記野菜室へ流入しない経路でもって
送風機によって前記冷蔵室と冷凍室へそれぞれ循環され、前記冷凍室から前記主冷却器へ
帰還する冷気帰還通路が前記冷凍室と前記野菜室との間の断熱仕切り壁中に形成され、一
方側が前記冷気帰還通路中の冷気と熱交換関係に配置され他方側が前記野菜室に露出した
野菜室用冷却器を設け、前記冷蔵室から前記主冷却器へ帰還する戻り冷気が前記野菜室用
冷却器の上流側から前記冷気帰還通路の冷気に合流する冷気ダクト構成としたことを特徴
とする。
【発明の効果】
【００１２】
第１発明では、主冷却器と送風機は一対でよく、この主冷却器で冷却された冷気は、野
菜室へ流入しない経路でもって送風機によって冷蔵室と冷凍室へそれぞれ循環するが、野
菜室は冷凍室の戻り冷気によって冷却される野菜室用冷却器でもって冷却することにより
、野菜室に収納した上面に開口した野菜容器内の野菜を所定の低温に冷却することができ
ると共にその野菜の乾燥を抑制できるものとなる。また、湿気を多く含んだ冷蔵室の戻り
冷気が、冷凍室への戻り冷気と合流されて主冷却器へ帰還することにより、主冷却器への
霜着きの不均一を少なくできるようになる。
【００１３】
第２発明では、冷凍室から主冷却器へ帰還する冷気帰還通路が冷凍室と野菜室との間の
断熱仕切り壁中に形成され、一方側がこの冷気帰還通路中の冷気と熱交換関係に配置され
他方側が野菜室に露出した野菜室用冷却器を設け、冷蔵室から主冷却器へ帰還する戻り冷
気がこの冷気帰還通路中の冷気に合流する冷気ダクト構成によって、第１発明の効果に加
えて、冷凍室から主冷却器への帰還冷気と冷蔵室から主冷却器への帰還冷気との合流がし
易くなる。
【００１４】
第３発明では、第２発明の効果に加えて、冷蔵室から主冷却器へ帰還する戻り冷気が野
菜室用冷却器の下流側で冷凍室の戻り冷気との合流するため、冷蔵室からの戻り冷気によ
る野菜室用冷却器への霜着きがなく、しかも野菜室用冷却器の冷却効果に優れたものとな
るため、野菜室をより低温に冷却する方式に適したものとなる。そして、冷蔵室からの戻
り冷気は冷凍室の戻り冷気の両側から合流するため、片側から冷却器へ帰還させる場合に
比して、主冷却器への霜着きの不均一をより少なくするのに適したものとなる。
【００１５】
第４発明では、第２発明の効果に加えて、野菜室用冷却器の冷却温度は、冷凍室の戻り
冷気のみによる場合に比して上がることとなり、野菜室をあまり低温に冷却しない冷却方
式や、野菜室を冷え過ぎない冷却方式とすることに適用できる。また万一、野菜室用冷却
器に霜が付着しても、この霜は冷却運転によって昇華して主冷却器に転移するため、この
主冷却器の除霜運転によって霜を除去できるものである。
【発明を実施するための最良の形態】
【００１６】
本発明は、冷蔵室、冷凍室、野菜室を形成して前記冷凍室の下側に前記野菜室が隣接配
置され、前記冷凍室の背面部に主冷却器が配置され、前記主冷却器で冷却された冷気は前
記野菜室へ流入しない経路でもって送風機によって前記冷蔵室と冷凍室へそれぞれ循環さ
れ、前記野菜室は前記主冷却器への前記冷凍室の戻り冷気によって冷却される野菜室用冷
却器にて冷却され、前記冷蔵室の戻り冷気は前記主冷却器の上流側で前記冷凍室の戻り冷
気に合流する冷気ダクト構成であり、以下に本発明の実施形態を記載する。
【実施例１】
【００１７】
次に、本発明の実施の形態について説明する。各図は本発明の実施形態を示しており、
図１は本発明の冷蔵庫の縦断側面図、図２は本発明の冷蔵庫本体の上部正面図、図３は図
１のＡ−Ａ断面図、図４は図１のＢ−Ｂ断面図、図５は図１のＣ−Ｃ断面図である。
【００１８】
本発明の冷蔵庫を図に基づき説明する。ここで、１は本発明の冷蔵庫であり、全面開口
の本体２内を区画して複数の貯蔵室を形成し、これら各貯蔵室の前面は扉で開閉できる構
成である。冷蔵庫本体２は、外箱（外壁板）２Ａと内箱（内壁板）２Ｂとの間に発泡断熱
材２Ｃを充填した断熱構造である。冷蔵庫本体２内には、上から冷蔵室３、冷凍室４、野
菜室５が仕切り壁６Ａ、６Ｂによって区画されて形成され、冷蔵室３内の底部にはその上
方の冷蔵室３と区画板（区画壁）８にて区画された特定低温室７が設けられている。特定
低温室７の前面は、区画板（区画壁）８に上端部を軸支持した扉９によって開閉自在であ
る。
【００１９】
冷蔵室３の前面開口は、冷蔵庫本体２の一側部にヒンジ装置にて横方向に回動して開閉
される回動式の冷蔵室扉１０にて閉塞される。冷凍室４の前面開口は、冷蔵庫本体２の一
側部にヒンジ装置にて横方向に回動可能に支持された回動式の冷凍室扉１１にて閉塞され
る。野菜室５の前面開口は、野菜室４内に設けた左右のレールとローラの組み合わせによ
る引き出し装置１３によって前後方向へ引き出し可能に支持した上面開口の野菜容器１４
と共に前方へ引き出される引き出し式扉１１にて閉塞されている。なお、冷凍室４も野菜
室５と同様に冷凍室４内に設けた左右の引き出し装置によって、前後方向へ引き出し可能
に支持した冷凍室容器と共に前方へ引き出される引き出し式扉１１にて閉塞されるように
構成するものでもよい。
【００２０】
１５は冷凍システムの冷媒を圧縮する電動圧縮機、１６は冷凍システムの冷媒の凝縮器
である。１７は凝縮器１６の熱によって後述の除霜水を蒸発させるための蒸発皿であり、
凝縮器１６上に載置して冷蔵庫本体２の前面下部から引き出し自在である。電動圧縮機１
５、凝縮器１６、蒸発皿１７は、冷蔵庫本体２の下部に設けた機械室１８に設置されてい
る。１９は冷凍システムの冷媒の蒸発器（冷却器）であり、冷凍室４の背面部に形成した
冷却室２７内に設置されている。２０は蒸発器（冷却器）１９で冷却した冷気を冷蔵室３
と冷凍室４へ循環する送風機である。蒸発器（冷却器）１９の除霜水は排水管を通って蒸
発皿１７へ導かれてそこで蒸発する。
【００２１】
２１は蒸発器（冷却器）１９で冷却された冷気が送風機２０から冷蔵室３へ導かれる冷
気ダクトであり、冷蔵室３の背壁２２に沿って上下方向に配置され、冷蔵室３の背壁２２
に形成した冷気吹き出し口２３から矢印のように冷蔵室３と特定低温室７へ供給される。
冷蔵室３の温度をセンサが感知して冷気ダクト２１を開閉する電動式ダンパ装置（冷気量
調節装置）２４が、冷気ダクト２１の下部に取り付けられている。このダンパ装置（冷気
量調節装置）２４によって、冷蔵室３の温度が所定温度に制御される。
【００２２】
また、冷凍室４は蒸発器（冷却器）１９で冷却された冷気が送風機２０から冷凍室４の
背壁に形成した冷気吹き出し口２５を通って冷凍室４へ矢印のように供給される。冷凍室
４の温度は、冷凍室４の温度又は蒸発器（冷却器）１９の温度をセンサが感知して、制御
部によって電動圧縮機１５の運転がＯＮ、ＯＦＦ制御されて所定温度に制御される。
【００２３】
冷蔵室３を冷却した戻り冷気は、冷蔵室３と冷凍室４との間の仕切り壁６Ａの断熱材内
に形成した戻り冷気通路２６を通り、後述のように冷却室２７の下部周辺へ帰還するよう
に流れる。戻り冷気通路２６は、仕切り壁６Ａの前側に寄った位置に冷蔵室３の横幅方向
に長く開口して形成した吸い込み口２６Ｃを備える。戻り冷気通路２６は、吸い込み口２
６Ｃ部分では横幅方向へ広く、その後方部分において左右のダクト２６Ａ、２６Ｂに分離
した状態であり、左右のダクト２６Ａ、２６Ｂは、冷却室２７の左右両側で断熱材２Ｃ内
を下方へ延びて、後述のように冷蔵室３を冷却した戻り冷気を冷凍室４を冷却した戻り冷
気に合流させて冷却室２７の下部へ帰還するように構成している。
【００２４】
冷凍室４を冷却した戻り冷気は、冷凍室４と野菜室５の間の仕切り壁６Ｂ内に形成した
冷気帰還通路２８を通り、後述のように冷却室２７の下部へ帰還するように流れる。冷気
帰還通路２８は、仕切り壁６Ｂの上板６Ｂ１とその下方の断熱材６Ｂ２との間にあって、
断熱材６Ｂ２を窪ませて形成した横幅方向へ広いダクト構成である。このため、冷凍室４
に対しては合成樹脂製の上板６Ｂ１で仕切られ、野菜室５に対しては断熱材６Ｂ２によっ
て熱遮断される構成である。冷気帰還通路２８は、仕切り壁６Ｂの前側に寄った位置に吸
い込み口２８Ａを形成しており、吸い込み口２８Ａ部分からその後方部分に向けて幅広い
ダクト構成でもって冷却室２７の下部へ冷気が帰還するように連通している。
【００２５】
冷蔵室３の戻り冷気が流れる左右のダクト２６Ａ、２６Ｂは、その下端の出口が冷気帰
還通路２８の両側壁に開口しており、これによって、冷蔵室３の戻り冷気は、吸い込み口
２６Ｃから戻り冷気通路２６へ流入し、左右のダクト２６Ａ、２６Ｂを通って、冷気帰還
通路２８の両側壁から冷気帰還通路２８内の冷凍室４を冷却した戻り冷気と合流し、冷却
室２７の下部へ帰還するように流れる。
【００２６】
このように、蒸発器（冷却器）１９で冷却された冷気は、野菜室５へ流入しない経路で
もって、送風機２０によって冷蔵室３と冷凍室４へそれぞれ循環する構成である。また、
冷蔵室３の戻り冷気は、冷却室２７へ帰還する前に冷凍室４を冷却した戻り冷気と合流す
るため、冷蔵室３の戻り冷気が左右のダクト２６Ａ、２６Ｂから冷却室２７へ直接帰還す
る場合に比して、蒸発器（冷却器）１９の下部周辺に生じる霜着きを分散化できるように
なる。このため、霜着きによる蒸発器（冷却器）１９の部分的な目詰まりが少なくなり、
蒸発器（冷却器）１９による冷却効果を向上できるものとなる。また、蒸発器（冷却器）
１９の一部分に集中して多くの霜が付着した場合には、その霜取り時間も長くなるが、こ
れも改善できるものとなる。
【００２７】
蒸発器（冷却器）１９で冷却された冷気は、野菜室５へ流入しない経路でもって送風機
２０によって冷蔵室３と冷凍室４へそれぞれ循環する構成であるため、野菜室５の冷却を
特別な冷却器でもって冷却するようにする必要がある。このため、野菜室５は、一方側が
冷気帰還通路２８内の冷気と熱交換関係に配置され、他方側が野菜室５の天井部分に露出
した野菜室用冷却器３０によって冷却される。なお、冷気帰還通路２８と野菜室５とが断
熱関係を維持するように、野菜室用冷却器３０の中間部が仕切り壁６Ｂの断熱材６Ｂ２に
埋設された状態である。
【００２８】
野菜室用冷却器３０は、野菜室５の天井部分に露出した部分が平板状等の基板部３０Ａ
を構成し、冷気帰還通路２８内の冷気と熱交換関係に配置され部分３０Ｂは、この基板部
３０Ａから平行に前後方向へ延びた複数のフィンで構成しており、熱伝導を良好にするた
めに野菜室用冷却器３０はアルミニウム製である。蒸発器（冷却器）１９は、野菜室用冷
却器３０と区別するために、主冷却器と称することとする。
【００２９】
冷蔵室３から主冷却器室２７へ帰還する戻り冷気は、ダクト２６Ａ、２６Ｂの一方のみ
とし、この一方のダクトを通って冷気帰還通路２８の側壁から冷気帰還通路２８中の冷気
に合流する冷気ダクト構成とすることもできる。この場合は、主冷却器１９の下部周辺に
生じる霜着きを分散化できるように、冷蔵室３からの戻り冷気が冷気帰還通路２８を流れ
る冷凍室４の戻り冷気に合流して混合されるダクト構成を考慮すればよい。
【００３０】
冷蔵室３から主冷却器室２７へ帰還する戻り冷気は、野菜室用冷却器３０の上流側にお
いて、冷気帰還通路２８の両側から冷気帰還通路２８中の冷気に合流する冷気ダクト構成
とすることができる。この場合は、野菜室用冷却器３０のフィン３０Ｂに霜着きが生じる
が、この霜は主冷却器１９の冷却運転によって昇華して主冷却器１９へ転移するようにな
る。このため、主冷却器１９の除霜運転を行えば、冷却運転を良好に行うことができる。
【００３１】
このように、ダクト２６Ａ、２６Ｂの一方から冷気帰還通路２８の側壁を通って冷気帰
還通路２８中の冷気に合流する構成に比して、更に主冷却器１９の下部周辺に生じる霜着
きを分散化できるようにするためには、上記のようにダクト２６Ａ、２６Ｂの両方から冷
気帰還通路２８中の冷凍室４の戻り冷気に合流する構成とすればよい。この場合も、野菜
室用冷却器３０のフィン３０Ｂに霜着きが生じるが、この霜は主冷却器１９の冷却運転に
よって昇華して主冷却器１９へ転移するようになる。このため、主冷却器１９の除霜運転
を行えば、冷却運転を良好に行うことができる。
【００３２】
更に、野菜室用冷却器３０のフィン３０Ｂに、冷蔵室３からの戻り冷気による霜着きが
生じないようにするためには、図１又は図４のように、冷蔵室３から主冷却器室２７へ帰
還する戻り冷気をダクト２６Ａ、２６Ｂの一方又は両方から野菜室用冷却器３０の下流側
において、冷蔵室３からの戻り冷気が冷気帰還通路２８の冷凍室４からの戻り冷気に合流
する冷気ダクト構成とすればよい。そして、この冷凍室４からの戻り冷気と冷蔵室３から
の戻り冷気とが、冷却器室２７に流入する前に十分に混合するような位置とダクト形状に
よって合流させれば、好ましい状態が得られる。
【００３３】
上記のように、野菜室用冷却器３０の下流側において、冷蔵室３からの戻り冷気が冷気
帰還通路２８の冷凍室４からの戻り冷気に合流する冷気ダクト構成の場合には、野菜室用
冷却器３０は冷蔵室３からの戻り冷気に触れずに冷凍室４からの戻り冷気によって冷却さ
れるため、野菜室５の天井部分に露出した野菜室用冷却器３０の基板部３０Ａは低温に冷
却されるため、野菜室５を約２〜３℃の低温に冷却するのに適する。
【００３４】
また、上記のように、野菜室用冷却器３０の上流側において、冷蔵室３からの戻り冷気
が冷気帰還通路２８の冷凍室４からの戻り冷気に合流する冷気ダクト構成の場合には、冷
凍室４からの戻り冷気と冷蔵室３からの戻り冷気が合流した状態の冷気が野菜室用冷却器
３０に流入するため、野菜室用冷却器３０の冷却温度は冷凍室３の戻り冷気のみによる場
合に比して上がることとなり、野菜室５の天井部分に露出した野菜室用冷却器３０の基板
部３０Ａの温度も上がり、野菜室５は冷凍室３の戻り冷気のみによる場合に比して上がる
こととなり、野菜室５をやや高い４〜６℃の温度に冷却する場合に適し、また冷え過ぎな
い冷却方式とすることにも適する。
【００３５】
野菜室５は、野菜室５の天井部分に露出した野菜室用冷却器３０の基板部３０Ａによっ
て冷却されるように構成しているが、基板部３０Ａを冷気帰還通路２８内に位置させ、フ
ィン３０Ｂが野菜室５の天井部分に露出した構成とすることもできる。また基板部３０Ａ
が断熱材６Ｂ２内に埋設された状態で、その基板部３０Ａの上下両側にフィン３０Ｂと同
様なフィンを形成して、一方のフィンを冷気帰還通路２８内に位置させ他方のフィンを野
菜室５の天井部分に露出した構成とすることもできる。
【００３６】
上記いずれの形態の野菜室用冷却器３であっても、野菜室５の天井部分に露出する部分
が、上面開口の野菜容器１４内に収納される野菜等に折衝し難いように、また冷蔵庫１の
使用者の手指が触れ難いように安全性も考慮して、野菜室５の天井部分に対応する仕切り
壁６Ｂの下面には、上方へ窪んだ窪み３１を形成している。このため、野菜室用冷却器３
の野菜室５の天井部分に露出する部分（例えば、基板部３０Ａ）は、このこの窪み３１か
ら下方へ突出しない状態でこの窪み３１内に納まるように組み込まれている。
【００３７】
このような構成において、冷蔵室３が約３〜４℃、冷凍室４が約−１８℃〜−２０℃に
保たれ、野菜室４が約２〜３℃又は４〜６℃に保たれる。特定低温室９は、０℃よりも高
い約１℃のチルド室であったり、０℃よりも低く食品の凍結温度よりも高い約０〜−１℃
の氷温室であったり、また、食品の表面に薄い氷の層が形成される程度の約−４℃の部分
凍結室であったりする。このように特定低温室９は、食品を特定の温度領域内で冷却保存
するためのものであり、他の室に比して厳しい温度制御が要求される。
【００３８】
本発明は、冷蔵室、冷凍室、野菜室を形成して前記冷凍室の下側に前記野菜室が隣接配
置され、前記冷凍室の背面部に主冷却器が配置され、前記主冷却器で冷却された冷気は前
記野菜室へ流入しない経路でもって送風機によって前記冷蔵室と冷凍室へそれぞれ循環さ
れ、野菜室は前記冷凍室から前記主冷却器へ帰還する冷気によって冷却される野菜室用冷
却器によって冷却する方式であるため、冷蔵庫の形態は、上から冷凍室、野菜室、冷蔵室
の配置であってもよい。
【産業上の利用可能性】
【００３９】
野菜室用冷却器３が冷凍室４からの戻り冷気によって冷却される関係であり、しかも冷
蔵室３の戻り冷気が主冷却器１９の上流側で冷凍室４からの戻り冷気に合流する関係であ
れば、本発明の技術的範囲を逸脱しない限り種々の変更が考えられ、本発明はそれに係る
種々の実施形態を包含するものである。
【図面の簡単な説明】
【００４０】
【図１】本発明の冷蔵庫の縦断側面図である。（実施例１）
【図２】本発明の冷蔵庫本体の上部正面図である。（実施例１）
【図３】図１のＡ−Ａ断面図である。（実施例１）
【図４】図１のＢ−Ｂ断面図である。（実施例１）
【図５】図１のＣ−Ｃ断面図である。（実施例１）
【符号の説明】
【００４１】
１・・・冷蔵庫
２・・・冷蔵庫本体
３・・・冷蔵室
４・・・冷凍室
５・・・野菜室
６Ａ、６Ｂ・・・断熱仕切り壁
１９・・主冷却器
２０・・電動送風機
２６・・冷蔵室の戻り冷気通路
２６Ａ、２６Ｂ・・冷蔵室の戻り冷気通路の左右のダクト
２７・・主冷却器室
２８・・冷凍室の戻り冷気通路
３０・・野菜室用冷却器
３０Ａ・・フィン
３０Ｂ・・基板部
３１・・窪み
【図１】
2006017372.tif 000003
【図２】
2006017372.tif 000004
【図３】
2006017372.tif 000005
【図４】
2006017372.tif 000006
【図５】
2006017372.tif 000007